【手続補正書】
【提出日】平成23年4月18日(2011.4.18)
【手続補正１】
【補正対象書類名】明細書
【補正対象項目名】発明の名称
【補正方法】変更
【補正の内容】
【発明の名称】電子装置およびプログラム
【手続補正２】
【補正対象書類名】明細書
【補正対象項目名】０００１
【補正方法】変更
【補正の内容】
【０００１】
本発明は、複数の文字列を記憶した電子装置およびプログラムに関する。  
【手続補正３】
【補正対象書類名】明細書
【補正対象項目名】０００７
【補正方法】変更
【補正の内容】
【０００７】
本発明は、このような課題に鑑みなされたもので、簡単なキーを備えるだけで、直感的に所望の文字列を検索することが可能になる電子装置およびプログラムを提供することを目的とする。
【手続補正４】
【補正対象書類名】明細書
【補正対象項目名】０００８
【補正方法】変更
【補正の内容】
【０００８】
請求項１に記載の電子装置は、複数の文字列を記憶する文字列記憶手段と、この文字列記憶手段により記憶された文字列を、所定の文字順にして一覧表示させる文字列一覧表示手段と、この文字列一覧表示手段により表示された任意の文字列を第１の方向指定キーのユーザ操作に応じて選択文字列として設定する選択文字列設定手段と、この選択文字列設定手段により設定された選択文字列の任意の文字を第２の方向指定キーのユーザ操作に応じて識別表示する文字識別表示手段と、この文字識別表示手段により識別表示された文字の前記選択文字列の中での位置を記憶する識別位置記憶手段と、前記選択文字列の任意の文字が識別表示されている状態で、第３の方向指定キーのユーザ操作に応じて、当該第３の方向指定キーにより指示された方向で前記識別位置記憶手段により記憶された位置の文字が当該識別表示されている文字と異なる種類の文字となる最初の文字列を、新たな選択文字列として設定する選択文字列再設定手段と、を備え、前記文字列一覧表示手段は、前記選択文字列を含めて一覧表示させる、ことを特徴としている。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項５に記載のプログラムは、複数の文字列を記憶する文字列記憶手段を備えたコンピュータを制御するためのプログラムであって、前記コンピュータを、前記文字列記憶手段により記憶された文字列を、所定の文字順にして表示部に一覧表示させる文字列一覧表示制御手段、この文字列一覧表示制御手段により表示された任意の文字列を第１の方向指定キーのユーザ操作に応じて選択文字列として設定する選択文字列設定手段、この選択文字列設定手段により設定された選択文字列の任意の文字を第２の方向指定キーのユーザ操作に応じて識別表示させる文字識別表示制御手段、この文字識別表示制御手段により識別表示された文字の前記選択文字列の中での位置をメモリに記憶する識別位置記憶手段、前記選択文字列の任意の文字が識別表示されている状態で、第３の方向指定キーのユーザ操作に応じて、当該第３の方向指定キーにより指示された方向で前記識別位置記憶手段により記憶された位置の文字が当該識別表示されている文字と異なる種類の文字となる最初の文字列を、新たな選択文字列として設定する選択文字列再設定手段、として機能させるようにし、前記文字列一覧表示手段は、前記選択文字列を含めて一覧表示させる、ことを特徴としている。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明によれば、簡単なキーを備えるだけで、直感的に所望の文字列を検索することが可能になる電子装置およびプログラムを提供できる。
【手続補正１１】
【補正対象書類名】特許請求の範囲
【補正対象項目名】全文
【補正方法】変更
【補正の内容】
【特許請求の範囲】
【請求項１】
複数の文字列を記憶する文字列記憶手段と、
この文字列記憶手段により記憶された文字列を、所定の文字順にして一覧表示させる文字列一覧表示手段と、
この文字列一覧表示手段により表示された任意の文字列を第１の方向指定キーのユーザ操作に応じて選択文字列として設定する選択文字列設定手段と、
この選択文字列設定手段により設定された選択文字列の任意の文字を第２の方向指定キーのユーザ操作に応じて識別表示する文字識別表示手段と、
この文字識別表示手段により識別表示された文字の前記選択文字列の中での位置を記憶する識別位置記憶手段と、
前記選択文字列の任意の文字が識別表示されている状態で、第３の方向指定キーのユーザ操作に応じて、当該第３の方向指定キーにより指示された方向で前記識別位置記憶手段により記憶された位置の文字が当該識別表示されている文字と異なる種類の文字となる最初の文字列を、新たな選択文字列として設定する選択文字列再設定手段と、
を備え、
前記文字列一覧表示手段は、前記選択文字列を含めて一覧表示させる、
ことを特徴とする電子装置。
【請求項２】
前記選択文字列の任意の文字が識別表示されている状態で、前記識別位置記憶手段により記憶された位置より前の文字が前記選択文字列と同じで、かつ、前記識別位置記憶手段により記憶された位置の文字がユーザ操作に応じて指定された文字となる最上段の文字列を、新たな選択文字列として設定する文字指定選択文字列再設定手段をさらに備えたことを特徴とする請求項１に記載の電子装置。
【請求項３】
前記識別位置記憶手段により記憶される前記選択文字列の中での識別表示された文字の位置が、当該選択文字列の先頭の文字の位置にある状態で、さらに先頭の方向を指定する前記第２の方向指定キーのユーザ操作があった場合に、前記文字列一覧表示手段により先頭の文字から順に所定の文字順にして一覧表示されている文字列を、末尾の文字から順に所定の文字順にして一覧表示させる逆引き文字列一覧表示手段を備え、
前記識別位置記憶手段は、前記逆引き文字列一覧表示手段により前記文字列が末尾の文字から順に所定の文字順にして一覧表示された場合に、前記文字識別表示手段により識別表示された文字の前記選択文字列の中での位置を、その末尾の文字を先頭の文字と読み替えた位置として記憶する、
ことを特徴とする請求項１または請求項２に記載の電子装置。
【請求項４】
前記所定の文字順は、アルファベット順または５０音順であることを特徴とする請求項１ないし請求項３の何れか１項に記載の電子装置。
【請求項５】
複数の文字列を記憶する文字列記憶手段を備えたコンピュータを制御するためのプログラムであって、
前記コンピュータを、
前記文字列記憶手段により記憶された文字列を、所定の文字順にして表示部に一覧表示させる文字列一覧表示制御手段、
この文字列一覧表示制御手段により表示された任意の文字列を第１の方向指定キーのユーザ操作に応じて選択文字列として設定する選択文字列設定手段、
この選択文字列設定手段により設定された選択文字列の任意の文字を第２の方向指定キーのユーザ操作に応じて識別表示させる文字識別表示制御手段、
この文字識別表示制御手段により識別表示された文字の前記選択文字列の中での位置をメモリに記憶する識別位置記憶手段、
前記選択文字列の任意の文字が識別表示されている状態で、第３の方向指定キーのユーザ操作に応じて、当該第３の方向指定キーにより指示された方向で前記識別位置記憶手段により記憶された位置の文字が当該識別表示されている文字と異なる種類の文字となる最初の文字列を、新たな選択文字列として設定する選択文字列再設定手段、
として機能させるようにし、
前記文字列一覧表示手段は、前記選択文字列を含めて一覧表示させる、
コンピュータ読み込み可能なプログラム。